(57)【要約】【課題】  外から窓鍵部分のガラスを割って侵入する窃盗事件の発生を防止できる防犯シールの提供。【解決手段】  ガラス１を挟んで室内側に設けられ、侵入者がガラスを破壊するのを阻止するダミーカメラ１２と、鍵２を覆うと共にダミーカメラ１２を室外から見えないように隠蔽する隠蔽シート１１と、透光性フィルムからなりガラス１１の表面を被覆保護する透明保護シート１４とからなる防犯シールである。【選択図】        図４
2005165376.tif 000002
【特許請求の範囲】
【請求項１】
ガラスを挟んで室内側に設けられ、音や視覚により侵入者がガラスを破壊するのを阻止する破壊阻止要素と、ガラスを挟んで室外側から施錠部を覆うのと共に、前記破壊阻止要素を室外から見えないように隠蔽する隠蔽シートと、透光性フィルムからなりガラス表面を被覆保護する透明保護シートとからなる防犯シール。
【発明の詳細な説明】
【技術分野】
【０００１】
本発明は、例えば窓などの外側から鍵部分のガラスの一部を割ってドライバー等で鍵のフックを回転させて侵入する窃盗事件の発生を防止できる防犯シールである。
【背景技術】
【０００２】
近年、図８および図９に示すような窓ガラス１の鍵２の部分だけに外部から穴３を開け、ドライバーなどの道具で鍵２のフック４を回転させて侵入する窃盗事件が多発している。ここで、穴３を開けるには、窓ガラス１の表面にガラス切り等で穴の形の傷をつけ、この傷の部分を強く叩くか、加熱することによりひび割れが伸張してガラスが破られるようである。
【０００３】
そして、特許文献１には「防犯警戒中」と記したシールを貼付して空き巣を防ぐ防犯装置が開示されている。
【特許文献１】実開昭６３−９３３７５号公報
【発明の開示】
【発明が解決しようとする課題】
【０００４】
本発明は、ガラスに貼るだけで外部から賊の進入を思いとどまらせ、ガラスが破壊されるのを防止できる防犯シールに関する。
【課題を解決するための手段】
【０００５】
本発明に係る防犯シールは、ガラスを挟んで室内側に設けられ、音や視覚により侵入者がガラスを破壊するのを阻止する破壊阻止要素と、施錠部を覆うのと共に前記破壊阻止要素を室外から見えないように隠蔽する隠蔽シートと、透光性フィルムからなりガラス表面を被覆保護する透明保護シートとから構成した。
【０００６】
上記構成によると、侵入者はまず、施錠部周囲のガラスを破壊するために隠蔽シートを剥がしにかかる。すると、破壊阻止要素が作動して音や視覚により侵入者がガラスを破壊するのを躊躇させる。また、一方で、透明保護シートはガラス表面を被覆保護すると同時に、破壊阻止要素の存在を侵入者に知らしめ、退散を促す。
【発明の効果】
【０００７】
本発明の防犯シールによると、空き巣の侵入を防止できるだけでなく、ガラスが破壊されるのも未然に防止でき、設置の工事も不要で極めて安価に利用できる。
【発明を実施するための最良の形態】
【０００８】
以下、本発明の実施の形態を図示例と共に説明する。
図１ないし図４は発明を実施する形態の一例であって、図中、前述の構成要素と同一要素には同一符号を付し、その説明は省略する。
【０００９】
図中、１０は本実施の形態に係る防犯シールを示している。
１１は室外側から室内側が見えないように隠蔽する隠蔽シートであり、該隠蔽シート１１は金属蒸着フィルム、金属箔ラミネートフィルムまたは金属板など、遮光性のあるシート基材からなり、表面には「防犯装置作動中」の印刷が施され、裏面には粘着剤層が設けられている。該隠蔽シート１１は着色した紙や厚紙、布などでもよいが、屋外に使用されることと容易に破れないことが要求されるため、ポリエチレンテレフタレート（ＰＥＴ）、塩化ビニールなどのプラスチックフィルムを主体とするシート基材が好ましく、更に耐熱性のあるアルミ、銅、鉄など金属の薄板などが好適に用いられる。
【００１０】
前記隠蔽シート１１は施錠部としての鍵２とその周囲のガラス１を覆い隠すように、一辺１００mm前後の四角形状に形成するのが好ましい。これ以上大きいことは作用上は好ましいが、窓を覆い隠してしまい景観や採光を損ねるので、最低限上記数値範囲が好ましい。そして、隠蔽シート１１は鍵２の外側面のガラス１に鍵２を隠すように貼付されている。
【００１１】
１２は破壊阻止要素としてのダミーカメラを示し、該ダミーカメラ１２は小型防犯カメラの外観を呈する箱状体で、内部に電池、振動センサ、電子回路を備えている。そして、侵入者（賊）が窓の鍵を壊して侵入しようと前記隠蔽シート１１を剥がしにかかると、そのときの振動を検知して、カメラ作動中を示すパイロットランプ（または照明灯）１３を点灯させる。該ダミーカメラ１２は窓ガラス１の内側に、後述する透明保護シート１４越しに貼付されている。
【００１２】
なお、破壊阻止要素としてはダミーカメラに限るものでなく、本物のカメラ、振動を検知して作動するフラッシュライトや電子アラームでもよいし、隠蔽シート１１を剥がした際に外光を関知して作動する電子ブザーなどでもよい。また、電池で作動する電子機器に限らず、外部から電源を供給するものでのよいし、後述する透明保護シート１４上に印刷された単なる防犯カメラの写真などでもよい。
【００１３】
図２に示すのは、侵入者が鍵２の上部のガラス１を壊そうと隠蔽シート１１を剥がしたときに、ダミーカメラ１２が隠蔽シート１１の下から現れ、カメラ作動中を表すパイロットランプ１３が点灯した状態である。
【００１４】
１４は窓ガラス１の内側面に貼付された透明保護シートであり、該透明保護シート１４はポリエチレン、ポリエステル（ＰＥＴ）、ポリビニルブチラールなどの引っ張り強度の大きな透明フィルムからなり、片面に粘着剤層が設けられたものである。当該透明保護シート１４は万一窓ガラス１の鍵部分に外側から傷がつけられ強打や加熱などのショックが加えられた場合でも、ひび割れが伸張拡大して窓ガラス１が割れないように保護し、たとえガラス１が割れてもそのガラスが落下して穴が開かないように支持するものである。透明保護シート１４は窓ガラス１の室内側に貼付されるので、前記隠蔽シート１１に比べ、耐熱性はさほど要求されないが、引っ張り強度の大きいことが要求される。
【００１５】
特に、ポリビニルブチラール製の膜は合わせ強化ガラスとして、自動車のフロントガラスや防弾ガラスにも用いられる実績があり好適である。
【００１６】
なお、透明保護シート１４は強力な粘着剤を用いれば、図５の如く、窓ガラス１の外側に貼付してもよいが、この場合にはフィルムと粘着剤共に耐候性、耐薬品性などが要求される。
この透明保護シート１４の存在により、当該シート１４よりも大きく窓ガラス１に傷を付けない限り、鍵２の周囲に穴を開けることはできなくなるため、窓ガラス１を破壊するには相当な時間および大きな力を要し、大きな音を発する危険も生じる結果、侵入者（賊）は窓ガラス１の破壊を諦め、犯罪は未然に防止される。
【００１７】
本実施の形態は以上の構成を有するもので、透明保護シート１４（または隠蔽シート１１）だけでも相当の防犯効果は期待できる。
而して、隠蔽シート１１と振動を検知してパイロットランプ１３が光るダミーカメラ１２を設けたので、侵入者がまず、施錠部（鍵）周囲のガラス１を破壊するために隠蔽シート１１を剥がしにかかると、ダミーカメラ１２がその振動を検出してカメラ作動中を表すパイロットランプ１３を発光させ、侵入者は窓ガラス１越しにその姿を撮影されたものと思い込み、ガラス１の破壊を諦めて退散する。そればかりでなく、二度とこの現場に近寄らないことが期待できるので、窓ガラスや家屋が傷を付けられるのも未然防止できる。
【００１８】
また、本実施の形態によるとアパート、マンション、一般住宅の別なく、サッシなどに穴を開けたり工事を要することなく適用でき、極めて安価に防犯効果を発揮できる。
【００１９】
次に図６、図７はそれぞれ他の実施の形態を示す防犯シールの説明図である。図６の防犯シール１５は隠蔽シート１６をスクラッチシールにより構成した例であり、隠蔽シート１６は連続的に捲ることができず、引っ掻いて剥離するタイプのシールである。この場合も、スクラッチシールを掻き落としてダミーカメラ１２などの破壊阻止要素がカラス１の下から現れると、このときの振動を検知したり、外光を検知して電子音やカメラ作動中を表す光で賊を驚かせて退散させることができる。
【００２０】
また、図７の防犯シール１７は隠蔽シート１８として、貼付後に剥離すると隠蔽シート１８を構成する層と粘着剤とが部分的に層間剥離して「通報中！」なる文字を浮き上がらせるいわゆる改ざん防止シール（またはセキュリティシール）と呼ばれるものを利用した例である。
【００２１】
以上の実施形態によると、侵入者が隠蔽シートを剥がした形跡が明瞭に残るので、改めて本格的な防犯手段を講じることができる。
【図面の簡単な説明】
【００２２】
【図１】本発明の実施の形態に係る防犯シールの外側正面からの外観図。
【図２】隠蔽シートを剥離し破壊阻止要素が現れた状態の説明図。
【図３】実施の形態に係る防犯シールの内側からの外観説明図。
【図４】図３中の矢示ＩＶ−ＩＶ方向断面図。
【図５】他の実施の形態を示す図４と同様の断面図。
【図６】他の実施の形態を示す図４と同様の断面図。
【図７】他の実施の形態を示す図４と同様の断面図。
【図８】防犯シールのない従来のサッシ窓の外観図。
【図９】鍵部分のガラスが破られた窓を示す図８中の矢示IＸ-IＸ方向断面図。
【符号の説明】
【００２３】
１０，１５，１７…防犯シール、１１，１６，１８…隠蔽シート、１２…ダミーカメラ（破壊阻止要素）１３…パイロットランプ（または照明灯）、１４…透明保護シート
【図１】
2005165376.tif 000003
【図２】
2005165376.tif 000004
【図３】
2005165376.tif 000005
【図４】
2005165376.tif 000006
【図５】
2005165376.tif 000007
【図６】
2005165376.tif 000008
【図７】
2005165376.tif 000009
【図８】
2005165376.tif 000010
【図９】
2005165376.tif 000011